(57)【要約】【課題】入側ガイドの周方向の位置を可変且つ容易に変更できる。【解決手段】搬送材１０を内部に通して当該搬送材１０を案内する管状の案内部材であって、管状の案内部本体１と、その案内部本体１の入口側に取付けられる管状の入側ガイド５とを備える。上記案内部本体１への入側ガイド５の取付け構造は、案内部本体１の閉塞板４と、入側ガイド５に形成されて閉塞板４に当接する外向きフランジ６と、内径側が上記外向きフランジ６を介して上記閉塞板４と対向配置される当て板８と、を備える。そして、閉塞板４の外径側に当て板８をボルト止めすることで、閉塞板４と当て板８との間に上記外向きフランジ６を挟み込んで拘束する。【選択図】        図１
2007237278.tif 000002
【特許請求の範囲】
【請求項１】
棒状若しくは線状からなる搬送材を内部に通して当該搬送材を案内する管状の案内部材であって、管状の案内部本体と、その案内部本体の入口側に取付けられる管状の入側ガイドとを備え、
上記案内部本体への入側ガイドの取付け構造は、
上記案内部本体に形成された鍔部と、入側ガイドに形成されて上記鍔部に当接する環状の外向きフランジと、内径側が上記外向きフランジを介して上記鍔部と対向配置される当接部材とを備え、鍔部に当接部材を押し付けた状態で当該鍔部に当接部材を固定することで、鍔部と当接部材との間に上記外向きフランジを挟み込んで拘束する固定手段と、
を備えることを特徴とする案内部材。
【請求項２】
上記鍔部に対し外向きフランジを嵌め込み可能な凹部を形成し、その凹部よりも外径側で鍔部と当接部材とがボルト締結されて固定されることを特徴とする請求項１に記載した案内部材。
【請求項３】
上記案内部本体の内径面と上記入側ガイドとの間には、周方向に沿って隙間が形成され、該隙間から搬送材に向けて流体を噴射可能となっていることを特徴とする請求項１または請求項２に記載した案内部材。
【発明の詳細な説明】
【技術分野】
【０００１】
本発明は、棒材や線材を冷却などのために通過させて案内する管状の案内部材に関するものである。
【背景技術】
【０００２】
線材を案内する案内部材としては、例えば特許文献１に記載の発明がある。この発明は、案内部材を構成するパイプを、入側ガイドの部分を突出させた状態で、Ｖ字溝を有する上下の直方体部材で上下から挟み込み、その上下の直方体を固定枠に入れてコッターで締め付けることで固定する。
そして、パイプの内径面が偏摩耗した場合には、コッターを外し、上側の直方体部材を浮かせた状態でパイプを摩耗状況に応じて９０度若しくは１８０度だけ回転変位させ、再度、上側の直方体を固定して使用する。
【０００３】
なお、上記パイプは、パイプの本体と入側ガイドの部分とは一体に形成されている。
【特許文献１】特開平１１−２９０９２５号公報
【発明の開示】
【発明が解決しようとする課題】
【０００４】
しかし、上記従来技術では、下面が偏摩耗した場合には、案内部材を基礎に固定している部分の締結具であるコッターを外すことで上側の直方体部材をいったん外し、その状態で案内部材全体を同軸芯で回転変位させる必要があるため、案内部材が大型化するほど、手間が大きくなる。
ここで、線材や棒鋼の工場の水冷帯に配置される冷却帯ガイドトラフは、基礎に固定された管状の案内部本体の入側に対し、入側ガイドが同軸芯に配置されて、案内部本体の端部に対して直接入側ガイドが取り付けられている。すなわち、この冷却帯ガイドトラフでは、通常、図２に示すように、二重管構造の案内部本体１の端部に形成された鍔部４に対し、入側ガイド５に形成された外向きのフランジ８が、周方向に沿って所定ピッチで配置された複数のボルト９によってボルト止めされて取り付けられている。
【０００５】
この取付け構造において、上記特許文献１と同様に、入側ガイド５の下面の偏摩耗に対応することを考えた場合には、いったん、全てのボルト９を取り外し、ボルト穴のピッチ若しくはその倍数分だけ、入側ガイド５を回転変位させた後に再度ボルト止めすることとなる。このため、偏摩耗に応じて回転変位させるためにはボルト９を全部外す必要があるので面倒であると共に、ボルト穴によって完全に位置決めされているため、回転変位の調整はボルトピッチ毎に断続的に行わざるを得ず、入側ガイド５下面の偏摩耗に対し、周方向全周の一部分しか下面に配置できない。
本発明は、上記のような点に着目してなされたもので、入側ガイドの周方向の位置を可変且つ容易に変更できることを課題としている。
【課題を解決するための手段】
【０００６】
上記課題を解決するために、本発明のうち請求項１に記載した発明は、棒状若しくは線状からなる搬送材を内部に通して当該搬送材を案内する管状の案内部材であって、管状の案内部本体と、その案内部本体の入口側に取付けられる管状の入側ガイドとを備え、
上記案内部本体への入側ガイドの取付け構造は、
上記案内部本体に形成された鍔部と、入側ガイドに形成されて上記鍔部に当接する環状の外向きフランジと、内径側が上記外向きフランジを介して上記鍔部と対向配置される当接部材とを備え、鍔部に当接部材を押し付けた状態で当該鍔部に当接部材を固定することで、鍔部と当接部材との間に上記外向きフランジを挟み込んで拘束する固定手段と、
を備えることを特徴とするものである。
次に、請求項２に記載した発明は、請求項１に記載した構成に対し、上記鍔部に対し外向きフランジを嵌め込み可能な凹部を形成し、その凹部よりも外径側で鍔部と当接部材とがボルト締結されて固定されることを特徴とするものである。
次に、請求項３に記載した発明は、請求項１または請求項２に記載した構成に対し、上記案内部本体の内径面と上記入側ガイドとの間には、周方向に沿って隙間が形成され、該隙間から搬送材に向けて流体を噴射可能となっていることを特徴とするものである。
【発明の効果】
【０００７】
本発明によれば、入側ガイドを容易に且つ任意の角度で回転変位を調整可能となる結果、入側ガイドの周方向全周のいずれの位置も任意に下面に設定可能となって、ガイド全周を偏摩耗に対応出来る。したがって、案内部材の寿命を延ばすことが可能となる。
【発明を実施するための最良の形態】
【０００８】
次に、本発明の実施形態について図面を参照しつつ説明する。
図１は、本実施形態の案内部材を説明する概要断面図である。
本実施形態は、線材・棒材工場における水冷帯入側ガイドトラフに対し、本発明の案内部材の構造を適用したものである。
（構成）
まず構成について説明すると、図１に示すように、案内部本体１と、その案内部本体１の入側に同軸芯に接続する入側ガイド５とを備える。なお、案内部本体１の出側ガイド側については説明を省略する。
【０００９】
上記案内部本体１は、棒状若しくは線状の搬送材１０を案内する内筒２と、その外周側に配置された外筒３との二重管構造となっていて、上記内筒２と外筒３との間の空間に冷却水が供給される。また、上記外筒３の入側端面には環状の閉塞板４が同軸に固定されている。該閉塞板４は、鍔部を構成し、外筒３の径よりも内径側部分が上記内筒２の端面と外筒３の端面との間の空間をほぼ閉塞すると共に、外径側に突出している。上記閉塞板４の内径側端部と内筒２の端部との間には所定の隙間が形成されている。なお、内筒２の端面は斜めに形成されている。
【００１０】
また、上記入側ガイド５は、上記内筒２とほぼ同径の管部材からなる入側ガイド本体５Ａと、その入側ガイド本体５Ａから上方に張り出した環状の外向きフランジ６とから構成される。
上記入側ガイド本体５Ａは、軸方向に沿って上記外向きフランジ６の形成位置を境として入側（案内部本体１から離れた側）の誘導部５ｂと、案内部本体１側に突出する差し込み部５ａとを備える。
【００１１】
上記差し込み部５ａは、閉塞板４の内径側端面内に挿入されると共に、上記外向きフランジ６を閉塞板４に当接して位置決めされた状態では、上記内筒２の端面との間に所定の間隙が形成されるように設計されていて、その内筒２の端面と差し込み部５ａとの間の隙間がスリットノズルＳを形成する。そして、該スリットノズルＳから内方に噴射する冷却水によって案内部材内を通過する搬送材１０の冷却を行われる。
【００１２】
また、上記誘導部５ｂの内径面は、入口に向けて径が大きくなるテーパ状（コーン状）となっていて、搬送材１０の先端部が入側ガイド５に突入する際に、挿入しやすいと共に軸方向（搬送方向）に誘導しやすい形状となっている。
そして、本実施形態では、上記閉塞板４における上記外向きフランジ６を当接する部分が、円板状の凹部からなる嵌め込み部４ｃとなっていて、その嵌め込み部４ｃに対し、上記外向きフランジ６は、軸回りに回転可能な状態で嵌め込まれる。これによって、外向きフランジ６、すなわち入側ガイド５は同軸に位置決めされる。
【００１３】
さらに、内径側が上記外向きフランジ６を介して、また外径側は直接に（上記嵌め込み部４の深さによってはスペーサが介挿されていても良い。）、閉塞板４と入側から対向する当て板８を有する。この当て板８は、当接部材を構成し、内径が上記入側ガイド５の外径よりも大きい円環状の板部材であって、外径側部分が上記外向きフランジ６よりも大きな径となっている。
【００１４】
その当て板８の外径側部分、及び当該外径側部分に対向する閉塞板４の部分（嵌め込み部４ｂよりも外径側）には、周方向に所定間隔でボルト穴４ａ、８ａが開口し、同軸にしたそれぞれの上記外径側部分のボルト穴８ａと閉塞板４のボルト穴４ａをボルト締結する。これによって、上記入側ガイド５の外向きフランジ６は、閉塞板４と当て板８によって軸方向から挟み込まれることで、入側ガイド５は、案内部本体１に対し同軸芯に位置決めされる。
【００１５】
（作用効果）
棒鋼などからなる搬送材１０は、案内部材である水冷帯入側ガイドトラフ内に突入する際に、搬送材１０の先端部が入側ガイド５の下面５ｃに当接し、その入側ガイド５の下面５ｃによって水冷帯入側ガイドトラフの軸方向に移動方向が誘導され、さらに水冷帯入側ガイドトラフに案内されながら冷却が行われる。
このため、案内部材の他の部分に比べて、入側ガイド５の下面５ｃが偏摩耗しやすい。
本実施形態では、入側ガイド５の下面５ｃが所定以上偏摩耗したら、上記ボルト９を緩めて、入側ガイド５を任意の所定量だけ回転変位させて、偏摩耗していない部分が下面５ｃに来るよう設定する。その後、再びボルト９を締め付けて締結する。
このように、ボルト９を完全に外すこと無く、ボルト９を緩めるだけで、入側ガイド５を任意の角度だけ回転変位出来る結果、偏摩耗に対応した回転変位調整が容易であると共に、下面５ｃに位置させる部分を微調整出来るので、ガイドの寿命を向上することが出来る。
【００１６】
ここで、例えば、外向きフランジ６を閉塞板４に４本のボルト９で固定している従来法（図２参照）の場合を想定すると、ボルト９のピッチが９０度となるために、回転変位させて、下面５ｃに配置出来る部分は４箇所だけとなる。つまりボルト９の本数分だけ下面５ｃへ配置できる箇所を設定出来ることとなる。このため、ボルト９の本数を増やすことで偏摩耗に応じて下方に配置出来る箇所を増やすことが出来るものの、位置を変えるには、ボルト９を全部いったん外す作業が要求されるので、手間が掛かる。
【００１７】
これに対し、本実施形態では、ボルト９の本数に関係なく、しかもボルト９を少し緩めるだけで、下面５ｃの配置位置を任意に変更出来るので、偏摩耗に応じて下面５ｃに配置できる部分が多くなり、その分だけ長く上記入側ガイド５を長期に使用することが可能となる。
そして、７本のボルト９で入側ガイド５を固定する場合において、上記従来法と比較すると入側ガイド５の寿命は１．５倍〜２倍程度延長する。
【００１８】
ここで、上記実施形態では、固定手段として、閉塞板４のボルト穴４ａと当て板８のボルト穴８ａにボルト９を螺合して締結する場合を例示しているが、これに限定されない。例えば、閉塞板４からボルト９を突設させておき、これに当て板８のボルト穴８ａを通し、ボルト９の先端部にナットを螺合し軸方向に締め付けて締結する構造であっても良い。また、ボルト９で締結して固定する代わりに、閉塞板４と当て板８とをクランプ装置で軸方向に拘束荷重を掛けて挟持させるようにしても良い。
また、上記実施形態では、案内部材の適用例として水冷帯入側ガイドトラフを例示しているが、これに限定されない。棒状若しくは線状の搬送材１０を通過させて案内する管状の案内部材であれば、本発明は適用可能である。
【図面の簡単な説明】
【００１９】
【図１】本発明に基づく実施形態に係る案内部材を説明する断面図である。
【図２】従来法の案内部材を説明する断面図である。
【符号の説明】
【００２０】
１  案内部本体
４  閉塞板（鍔部）
５  入側ガイド
５Ａ  入側ガイド本体
６  外向きフランジ
８  当て板（当接部材）
９  ボルト
１０  搬送材
【図１】
2007237278.tif 000003
【図２】
2007237278.tif 000004